(57)【要約】【課題】大きなコスト増を招くことなく、シェル形ニードルベアリングの耐久性および寿命を向上するとともに、騒音を低減することができる軸受構造およびスクロール圧縮機を提供することを目的とする。【解決手段】軸受ボス部３Ｃ，１５Ｃの穴に、シェル形ニードルベアリング７，１２を設置し、該シェル形ニードルベアリング７，１２により軸６，６Ｃを支持する軸受構造およびそれを用いたスクロール圧縮機１において、軸受ボス部３Ｃ，１５Ｃの穴と、シェル形ニードルベアリング７，１２の外輪との間に、所要の剛性および精度を有する金属製の円筒状スリーブ２７，２８が設置されている。【選択図】図１
2014047673.tif 000002
【特許請求の範囲】
【請求項１】
軸受ボス部の穴に、シェル形ニードルベアリングを設置し、該シェル形ニードルベアリングにより軸を支持する軸受構造において、
前記軸受ボス部の穴と前記シェル形ニードルベアリングの外輪との間に、所要の剛性および精度を有する金属製の円筒状スリーブが設置されていることを特徴とする軸受構造。
【請求項２】
前記円筒状スリーブは、前記軸受ボス部の穴側に予め圧入または鋳包みされていることを特徴とする請求項１に記載の軸受構造。
【請求項３】
ハウジング内にクランク軸が軸受を介して回転自在に支持されているとともに、前記クランク軸の一端に設けられているクランクピンに、旋回スクロールの軸受ボス部が軸受を介して回転自在に結合されているスクロール圧縮機において、
前記軸受の一方または双方をシェル形ニードルベアリングとするとともに、
前記ハウジングの軸受ボス部と前記クランク軸支持用の前記シェル形ニードルベアリングの外輪との間および／または前記旋回スクロールの軸受ボス部と前記旋回スクロール結合用の前記シェル形ニードルベアリングの外輪との間に、所要の剛性および精度を有する金属製の円筒状スリーブが設置されていることを特徴とするスクロール圧縮機。
【請求項４】
前記円筒状スリーブは、前記軸受ボス部の穴側に予め圧入または鋳包みされていることを特徴とする請求項３に記載のスクロール圧縮機。
【請求項５】
前記円筒状スリーブは、その真円度が５μｍ以上、１０μｍ以下とされていることを特徴とする請求項３または４に記載のスクロール圧縮機。
【発明の詳細な説明】
【技術分野】
【０００１】
本発明は、シェル形ニードルベアリングを用いた軸受構造およびその軸受構造を適用したスクロール圧縮機に関するものである。
【背景技術】
【０００２】
スクロール圧縮機においては、ダウンサイジング化や軽量化、低コスト化のため、クランク軸をハウジングに対して回転自在に支持するための軸受や、クランク軸のクランクピン部と旋回スクロールとを回転自在に結合するための軸受に、剛性や寸法精度が高いボールベアリングに替えて、小型小径化が可能でかつコストダウンが期待できるシェル形ニードルベアリングが用いられるようになっている（例えば、特許文献１−４参照）。
【０００３】
一方、シェル形のニードルベアリングは、薄板材から成形される外輪と、転動体である針状ころと、針状ころを保持する保持器とから構成されるが、ソリッド形のニードルベアリングに比べ、外輪を構成する薄板材の肉厚が、例えば、１ｍｍ前後と薄いことから、ベアリング単体での剛性や寸法精度は決して高くなく、外径等の公差が表示されていないのが通常である。このように、シェル形ニードルベアリングは、十分な剛性と寸法精度を有する軸受ボス部側の穴に圧入され、その穴の精度に倣うことで軌道面（針状ころの内接円）の精度を保つことにより本来の性能を発揮する設計とされているものである。
【先行技術文献】
【特許文献】
【０００４】
【特許文献１】特開昭５８−１０５８６号公報
【特許文献２】特許第２９３０２６９号公報
【特許文献３】特開２０００−１９２９６８号公報
【特許文献４】特開２００３−２３２２８８号公報
【発明の概要】
【発明が解決しようとする課題】
【０００５】
上記のように、スクロール圧縮機のクランク軸の軸受構造には、シェル形ニードルベアリングが用いられているが、車載用のスクロール圧縮機として、益々小型軽量化が求められる中、ハウジングの薄肉化に伴い、軸受支持部（軸受ボス部）の剛性が十分確保できなくなり、略限界となっている。特に、車載用のスクロール圧縮機では、車載の都合上、ハウジングの外形形状を軸対称にし難いことから、軸受ボス部の周方向および軸方向の剛性にアンバランスが生じ易い。
【０００６】
このため、上記の如く剛性が低下した軸受ボス部に、軸受ボス部の穴側の精度に依存する設計とされているシェル形ニードルベアリングを設置した場合、負荷による軸受ボス部の変形に伴ってシェル形ニードルベアリングの軌道面の精度が悪化し、ベアリングが本来の性能を発揮できなくなって、軸受の耐久性や寿命の低下、さらには騒音の増大を招く等の課題があった。
【０００７】
本発明は、このような事情に鑑みてなされたものであって、大きなコスト増を招くことなく、シェル形ニードルベアリングの耐久性および寿命の向上を図るとともに、騒音を低減することができる軸受構造およびそれを適用したスクロール圧縮機を提供することを目的とする。
【課題を解決するための手段】
【０００８】
上記した課題を解決するために、本発明の軸受構造およびスクロール圧縮機は、以下の手段を採用する。
すなわち、本発明にかかる軸受構造は、軸受ボス部の穴に、シェル形ニードルベアリングを設置し、該シェル形ニードルベアリングにより軸を支持する軸受構造において、前記軸受ボス部の穴と、前記シェル形ニードルベアリングの外輪との間に、所要の剛性および精度を有する金属製の円筒状スリーブが設置されていることを特徴とする。
【０００９】
本発明によれば、軸受ボス部の穴と、シェル形ニードルベアリングの外輪との間に、所要の剛性および精度を有する金属製の円筒状スリーブが設置されているため、軸受ボス部の穴側の剛性および精度がハウジング等の小型軽量・薄肉化に伴い、十分確保できない場合であっても、軸受ボス部の穴に所要の剛性および精度を有する金属製の円筒状スリーブを介装することにより、負荷による軸受ボス部の変形に伴うシェル形ニードルベアリングの軌道面（針状ころの内接円）の精度の悪化を抑え、所要の剛性および精度を確保することができる。従って、円筒状のスリーブを追加するだけで、簡易にかつそれ程コスト増招くことなく、シェル形ニードルベアリング本来の性能を発揮させることができ、軸受の耐久性および寿命の向上、騒音の低減等を図ることができる。
【００１０】
さらに、本発明の軸受構造は、上記の軸受構造において、前記円筒状スリーブは、前記軸受ボス部の穴側に予め圧入または鋳包みされていることを特徴とする。
【００１１】
本発明によれば、円筒状スリーブが、軸受ボス部の穴側に予め圧入または鋳包みされているため、シェル形ニードルベアリングとして汎用のシェル形ニードルベアリングを用いてそのまま、軸受ボス部の穴側に予め圧入または鋳包みされている円筒状スリーブに圧入により組み付け構成した軸受構造とすることができる。従って、軸受ボス部の穴側の剛性および精度が十分確保されていなくても、軸受自体の構成や組み立てを変えることなく、円筒状スリーブの追加のみで、簡易にかつそれ程コストを増大せずに、シェル形ニードルベアリングを所期の性能通り正常に機能させることができる。
【００１２】
さらに、本発明にかかるスクロール圧縮機は、ハウジング内にクランク軸が軸受を介して回転自在に支持されているとともに、前記クランク軸の一端に設けられているクランクピンに、旋回スクロールの軸受ボス部が軸受を介して回転自在に結合されているスクロール圧縮機において、前記軸受の一方または双方をシェル形ニードルベアリングとするとともに、前記ハウジングの軸受ボス部と前記クランク軸支持用の前記シェル形ニードルベアリングの外輪との間および／または前記旋回スクロールの軸受ボス部と前記旋回スクロール結合用の前記シェル形ニードルベアリングの外輪との間に、所要の剛性および精度を有する金属製の円筒状スリーブが設置されていることを特徴とする。
【００１３】
本発明によれば、クランク軸をハウジングに対して回転自在に支持する軸受およびそのクランクピンを旋回スクロールの軸受ボス部に回転自在に結合する軸受の一方または双方をシェル形ニードルベアリングとするとともに、ハウジングの軸受ボス部とクランク軸支持用のシェル形ニードルベアリングの外輪との間および／または旋回スクロールの軸受ボス部と旋回スクロール結合用のシェル形ニードルベアリングの外輪との間に、所要の剛性および精度を有する金属製の円筒状スリーブが設置されているため、各軸受ボス部の穴側の剛性および精度がハウジングまたは旋回スクロールの小型軽量・薄肉化に伴い、十分に確保できない場合であっても、軸受ボス部の穴に所要の剛性および精度を有する金属製の円筒状スリーブを介装することにより、負荷による軸受ボス部の変形に伴うシェル形ニードルベアリングの軌道面（針状ころの内接円）の精度の悪化を抑え、所要の剛性および精度を確保することができる。従って、クランク軸の支持部あるいはクランクピンの結合部にシェル形ニードルベアリングを用いたスクロール圧縮機にあっても、円筒状のスリーブを追加するだけで、簡易にかつそれ程コスト増招くことなく、シェル形ニードルベアリング本来の性能を発揮させることができ、軸受の耐久性および寿命の向上、騒音の低減等を図ることができる。
【００１４】
また、本発明のスクロール圧縮機は、上記のスクロール圧縮機において、前記円筒状スリーブは、前記軸受ボス部の穴側に予め圧入または鋳包みされていることを特徴とする。
【００１５】
本発明によれば、円筒状スリーブが、軸受ボス部の穴側に予め圧入または鋳包みされているため、シェル形ニードルベアリングとして汎用のシェル形ニードルベアリングを用いてそのまま、軸受ボス部の穴側に予め圧入または鋳包みされている円筒状スリーブに圧入により組み付け構成することができる。従って、ハウジングや旋回スクロール等の小型軽量・薄肉化に伴って、その軸受ボス部の穴側の剛性および精度が十分に確保されていない場合でも、軸受自体の構成や組み立てを変えることなく、円筒状スリーブの追加のみで、簡易にかつそれ程コストを増大せずに、シェル形ニードルベアリングを所期の性能通り正常に機能させることができる。
【００１６】
さらに、本発明のスクロール圧縮機は、上述のいずれかのスクロール圧縮機において、前記円筒状スリーブは、その真円度が５μｍ以上、１０μｍ以下とされていることを特徴とする。
【００１７】
本発明によれば、円筒状スリーブの真円度が、５μｍ以上、１０μｍ以下とされているため、一般に車載用スクロール圧縮機で求められているシェル形ニードルベアリングの軌道面（針状ころの内接円）の精度を十分確保し、その軌道面と軸外径との隙間を所要の軸受寿命を確保できる隙間に維持することができる。従って、軸受寿命を左右する上記の隙間管理を容易化し、軸受寿命、耐久性の最大化および騒音の最小化を図ることができる。
【発明の効果】
【００１８】
本発明の軸受構造によると、軸受ボス部の穴側の剛性および精度がハウジング等の小型軽量・薄肉化に伴い、十分に確保できない場合であっても、軸受ボス部の穴に所要の剛性および精度を有する金属製の円筒状スリーブを介装することによって、負荷による軸受ボス部の変形に伴うシェル形ニードルベアリングの軌道面（針状ころの内接円）の精度の悪化を抑え、所要の剛性および精度を確保することができるため、円筒状のスリーブを追加するだけで、簡易にかつそれ程コスト増招くことなく、シェル形ニードルベアリング本来の性能を発揮させることができ、軸受の耐久性および寿命の向上、騒音の低減等を図ることができる。
【００１９】
また、本発明のスクロール圧縮機によると、各軸受ボス部の穴側の剛性および精度がハウジングまたは旋回スクロールの小型軽量・薄肉化に伴い、十分に確保できない場合であっても、軸受ボス部の穴に所要の剛性および精度を有する金属製の円筒状スリーブを介装することによって、負荷による軸受ボス部の変形に伴うシェル形ニードルベアリングの軌道面（針状ころの内接円）の精度の悪化を抑え、所要の剛性および精度を確保することができるため、クランク軸の支持部あるいはクランクピンの結合部にシェル形ニードルベアリングを用いたスクロール圧縮機にあっても、円筒状のスリーブを追加するだけで、簡易にかつそれ程コスト増招くことなく、シェル形ニードルベアリング本来の性能を発揮させることができ、軸受の耐久性および寿命の向上、騒音の低減等を図ることができる。
【図面の簡単な説明】
【００２０】
【図１】本発明の一実施形態に係る軸受構造を採用したスクロール圧縮機の縦断面図である。
【図２】シェル形ニードルベアリングの寿命特性を示す図である。
【発明を実施するための形態】
【００２１】
以下に、本発明に一実施形態について、図１および図２を参照して説明する。
図１には、本発明の一実施形態に係る軸受構造を採用したスクロール圧縮機の縦断面図が示され、図２には、その軸受構造に用いるシェル形ニードルベアリングの寿命特性図が示されている。
スクロール圧縮機１は、外殻を構成するハウジング２を有している。ハウジング２は、フロントハウジング３とリアハウジング４とをボルト５で一体的に締め付け固定することにより構成されている。フロントハウジング３およびリアハウジング４には、円周上の複数箇所、例えば４箇所（図２参照）に等間隔で締め付け用のフランジ３Ａ，４Ａが一体に形成され、このフランジ３Ａ，４Ａ同士をボルト５で締め付けることによって、フロントハウジング３とリアハウジング４とが一体に結合されている。
【００２２】
フロントハウジング３の内部には、クランク軸（軸）６がメイン軸受７およびサブ軸受８を介してその軸線Ｌ回りに回転自在に支持されている。クランク軸６の一端側（図１において左側）は小径軸部６Ａとされ、該小径軸部６Ａはフロントハウジング３を貫通して図１の左側に突出されている。小径軸部６Ａの突出部には、公知の如く動力を受ける図示省略の電磁クラッチ、プーリー等が設けられ、エンジン等の駆動源からベルト等を介して動力が伝達されるようになっている。メイン軸受７とサブ軸受８との間には、メカニカルシール（リップシール）９が設置されており、ハウジング２内と大気間が気密にシールされている。
【００２３】
クランク軸６の他端側（図１において右側）には、大径軸部６Ｂが設けられ、この大径軸部６Ｂには、クランク軸６の軸線Ｌより所定寸法だけ偏心するクランクピン（軸）６Ｃが一体に設けられている。クランク軸６は、大径軸部６Ｂおよび小径軸部６Ａがメイン軸受７およびサブ軸受８で支持されることにより、フロントハウジング３に回転自在に支持されている。クランクピン６Ｃには、ドライブブッシュ１０、円筒環（フローティングブッシュ）１１およびドライブ軸受１２を介して後述の旋回スクロール１５が連結され、クランク軸６が回転されることによって、旋回スクロール１５が旋回駆動される構成とされている。
【００２４】
ドライブブッシュ１０には、旋回スクロール１５が旋回駆動されることにより発生するアンバランス荷重を除去するためのバランスウェイト１０Ａが一体に形成され、旋回スクロール１５の旋回駆動と共に旋回されるようになっている。また、ドライブブッシュ１０には、その中心に対して偏心した位置にクランクピン６Ｃが嵌合されるクランクピン穴１０Ｂが設けられている。これによって、クランクピン６Ｃに嵌合されたドライブブッシュ１０および旋回スクロール１５がガス圧を受けてクランクピン６Ｃ周りに回動され、旋回スクロール１５の旋回半径を可変とする公知の従動クランク機構が構成されている。
【００２５】
また、ハウジング２内には、一対の固定スクロール１４および旋回スクロール１５により構成されるスクロール圧縮機構（圧縮機構）１３が組み込まれている。固定スクロール１４は、端板１４Ａと該端板１４Ａから立設されている渦巻き状ラップ１４Ｂとから構成され、旋回スクロール１５は、端板１５Ａと該端板１５Ａから立設されている渦巻き状ラップ１５Ｂとから構成されている。
【００２６】
本実施形態の固定スクロール１４および旋回スクロール１５は、それぞれ渦巻き状ラップ１４Ｂ，１５Ｂの先端面とボトム面の渦巻き方向に沿う所定位置に、それぞれ段部を備えている。この段部を境に、ラップ先端面においては、旋回軸線方向に外周側の先端面が高く、内周側の先端面が低くされている。また、ボトム面においては、旋回軸線方向に外周側のボトム面が低く、内周側のボトム面が高くされている。これによって、渦巻き状ラップ１４Ｂ，１５Ｂは、その外周側におけるラップ高さが内周側のラップ高さよりも高くされている。
【００２７】
固定スクロール１４と旋回スクロール１５とは、その中心を旋回半径分だけ離すとともに、渦巻き状ラップ１４Ｂ，１５Ｂの位相を１８０度ずらして噛合され、該渦巻き状ラップ１４Ｂ，１５Ｂの先端面とボトム面との間に常温で僅かなラップ高さ方向のクリアランス（数十〜数百ミクロン）を有するように組み付けられている。これによって、図１に示されるように、両スクロール１４，１５間には、端板１４Ａ，１５Ａと渦巻き状ラップ１４Ｂ，１５Ｂとにより限界される一対の圧縮室１６がスクロール中心に対して対称に形成されるとともに、旋回スクロール１５が固定スクロール１４の周りをスムーズに旋回できる構成とされている。
【００２８】
圧縮室１６は、旋回軸線方向の高さが渦巻き状ラップ１４Ｂ，１５Ｂの外周側において内周側の高さよりも高くされることにより、渦巻き状ラップ１４Ｂ，１５Ｂの周方向およびラップ高さ方向にガスを圧縮できる三次元圧縮が可能なスクロール圧縮機構１３を構成している。固定スクロール１４および旋回スクロール１５の渦巻き状ラップ１４Ｂ，１５Ｂの先端面には、相手方スクロールのボトム面との間に形成されるチップシール面をシールするためのチップシール１７が、それぞれ先端面に設けられた溝に嵌合されて設けられている。
【００２９】
固定スクロール１４は、リアハウジング４の内面にボルト１８を介して固定設置されている。また、旋回スクロール１５は、端板１５Ａの背面に設けられている軸受ボス部１５Ｃに対して、上述のとおり、クランク軸６の一端側に設けられているクランクピン６Ｃがドライブブッシュ１０、円筒環（フローティングブッシュ）１１およびドライブ軸受１２を介して結合され、旋回駆動されるように構成されている。
【００３０】
さらに、旋回スクロール１５は、フロントハウジング３のスラスト受け面３Ｂに端板１５Ａの背面が支持され、該スラスト受け面３Ｂと端板１５Ａの背面との間に設けられている自転阻止機構１９を介して、自転が阻止されながら固定スクロール１４の周りに公転旋回駆動される構成とされている。本実施形態の自転阻止機構１９は、旋回スクロール１５の端板１５Ａに設けられているリング穴に組み込まれた自転防止リング１９Ａの内周面に対して、フロントハウジング３に設けられているピン穴に組み込まれた自転防止ピン１９Ｂが摺動自在に嵌合されているピンリング式の自転阻止機構１９とされている。
【００３１】
固定スクロール１４には、端板１４Ａの中央部位に圧縮された冷媒ガスを吐出する吐出ポート１４Ｃが開口されており、吐出ポート１４Ｃには、端板１４Ａにリテーナ２０を介して取り付けられている吐出リード弁２１が設置されている。また、端板１４Ａの背面側には、リアハウジング４の内面と密接されるようにＯリング等のシール材２２が介装されており、リアハウジング４の内面との間にハウジング２の内部空間から区画された吐出チャンバー２３を形成している。これによって、吐出チャンバー２３を除くハウジング２の内部空間が、吸入チャンバー２４として機能する構成とされている。
【００３２】
吸入チャンバー２４には、フロントハウジング３に設けられている吸入口２５を介して冷凍サイクルから戻ってくる冷媒ガスが吸入され、この吸入チャンバー２４を経て圧縮室１６に冷媒ガスが吸い込まれるようになっている。フロントハウジング３とリアハウジング４との間の接合面には、Ｏリング等のシール材２６が介装され、ハウジング２内に形成される吸入チャンバー２４を大気に対して気密にシールしている。
【００３３】
上記のスクロール圧縮機１において、外形形状を小型小径化するため、クランク軸６を支持するメイン軸受７およびクランクピン６Ｃと旋回スクロール１５とを結合するドライブ軸受１２に、それぞれシェル形ニードルベアリングが用いられている。このクランク軸支持用のシェル形ニードルベアリング７および旋回スクロール結合用のシェル形ニードルベアリング１２は、本来、フロントハウジング３側に設けられている軸受ボス部３Ｃおよび旋回スクロール１５側の軸受ボス部１５Ｃの穴に圧入されることにより、その穴側の剛性および精度に倣って軌道面（針状ころの内接円）の精度が確保されるように構成されている。
【００３４】
しかし、ハウジング２や旋回スクロール１５は、軽量化によって益々薄肉化される傾向にあり、しかもハウジング２は、外形形状が周方向および軸方向に軸対称になっていないことから、軸受ボス部３Ｃ，１５Ｃの周方向および軸方向の剛性にアンバランスが生じ易い構成とされている。このため、負荷による軸受ボス部３Ｃ，１５Ｃ側の変形に倣ってシェル形ニードルベアリング７，１２の軌道面（針状ころの内接円）の精度が悪化し、軸受の耐久性や寿命の低下、騒音の増大等の要因になる虞があった。
【００３５】
本実施形態では、かかる問題に対して、ハウジング２や旋回スクロール１５の肉厚を厚くすることなく対処するために、軸受ボス部３Ｃ，１５Ｃの穴に所要の剛性および精度を有する金属製の円筒状スリーブ２７，２８を設けた構成としている。この円筒状スリーブ２７，２８は、例えば炭素鋼（Ｓ４５Ｃ）、ベアリング鋼（ＳＵＪ２）、一般構造鋼（ＳＳ材）等よって構成することができ、軸受ボス部３Ｃ，１５Ｃの穴側に予め圧入しておくことにより、組み立てを行うことができる。また、ハウジング２や旋回スクロール１５が鋳造品の場合は、鋳造時に鋳包むことによって予め一体化しておくことができる。
【００３６】
さらに、この円筒状スリーブ２７，２８は、車両用空調装置の圧縮機に適用されるスクロール圧縮機１のメイン軸受７あるいはドライブ軸受１２に適用される外径寸法が３５〜４５ｍｍ程度のシェル形ニードルベアリングの場合、厚さが、概ね２ｍｍ前後とされ、その真円度は、５μｍ以上、１０μｍとされる。これによって、汎用品のシェル形ニードルベアリング７，１２を用いた場合でも、それぞれ本来の性能を発揮させることができ、該軸受の耐久性および寿命の向上、騒音の低減等を図ることができる。
【００３７】
以上に説明の構成により、本実施形態によれば、以下の作用効果を奏する。
外部駆動源から図示省略のプーリーおよび電磁クラッチを介して、回転駆動力をクランク軸６に伝達し、クランク軸６を回転すると、そのクランクピン６Ｃにドライブブッシュ１０、円筒環（フローティングブッシュ）１１およびドライブ軸受（シェル形ニードルベアリング）１２を介して旋回半径が可変に連結されている旋回スクロール１５が、ピンリング式自転阻止機構１９により自転を阻止されながら、固定スクロール１４の周りに所定の旋回半径で公転旋回駆動される。
【００３８】
この旋回スクロール１５の公転旋回駆動によって、半径方向最外方に形成される圧縮室１６内に、吸入チャンバー２４内の冷媒ガスが吸い込まれる。圧縮室１６は、所定の旋回角位置で吸入締め切りされた後、その容積が周方向およびラップ高さ方向に減少されながら中心側へと移動される。この間に冷媒ガスは圧縮され、当該圧縮室１６が吐出ポート１４Ｃに連通する位置に達すると、吐出リード弁２１を押し開く。その結果、圧縮された高温高圧のガスは、吐出チャンバー２３内に吐き出され、該吐出チャンバー２３を経て圧縮機１の外部へと送出される。
【００３９】
圧縮動作の間、クランク軸６は、メイン軸受（シェル形ニードルベアリング）７およびサブ軸受８により回転自在に支持され、旋回スクロール１５は、ドライブ軸受（シェル形ニードルベアリング）１２を介してクランク軸６のクランクピン６Ｃに回転自在に結合されることにより旋回駆動されるが、ハウジング２（フロントハウジング３）や旋回スクロール１５の肉厚が、軽量化のため限界まで薄くされていることから、負荷（荷重）がかかった場合、シェル形ニードルベアリング７，１２を支持している軸受ボス部３Ｃ，１５Ｃの穴が口元広がりや周方向に不均一の変形を生じる虞がある。
【００４０】
しかるに、本実施形態では、軸受ボス部３Ｃ，１５Ｃの穴に、所要の剛性および精度を有する金属製の円筒状スリーブ２７，２８を圧入または鋳包み等により設置し、その円筒状スリーブ２７，２８に対してメイン軸受７およびドライブ軸受１２を構成するシェル形ニードルベアリングの外輪を圧入して、シェル形ニードルベアリング７，１２を設置するようにしている。このため、円筒状スリーブ２７，２８を介して軸受ボス部３Ｃ，１５Ｃの穴側の剛性および精度を確保し、その精度に倣ってシェル形ニードルベアリング７，１２の軌道面（針状ころの内接円）の精度を所定の精度に保つことができる。
【００４１】
通常、シェル形ニードルベアリング７，１２の寿命特性は、図２に示されるように、軌道面（針状ころの内接円）の径と、支持する軸の外径との間の隙間に依存しており、寿命が最大となるのは、その隙間が０より僅かに小さいマイナス隙間の場合であることが判っているが、この場合、隙間が僅かにマイナスに触れると、急激に寿命が低下するリスクがあることから、安全を見込んで、隙間をプラス側に設定している。この隙間は、例えば外輪が楕円形状に変形して大きくなると、荷重を受ける針状ころの数が減り傾向となり、耐久性や寿命の低下、騒音の増大等を招くため、０より僅かにプラス側に設定し、軸受ボス部３Ｃ，１５Ｃの変形に倣って隙間が大きくならないように管理する必要がある。
【００４２】
本実施形態の軸受構造およびスクロール圧縮機１によれば、円筒状スリーブ２７，２８を設けることにより、負荷による軸受ボス部３Ｃ，１５Ｃの変形に伴うシェル形ニードルベアリング７，１２の軌道面（針状ころの内接円）の精度の悪化を抑え、所要の剛性および精度を確保することができる。従って、軸受ボス部３Ｃ，１５Ｃの穴側に、円筒状スリーブ２７，２８を追加するだけで、簡易にかつそれ程コスト増招くことなく、シェル形ニードルベアリング７，１２本来の性能を発揮させることができ、メイン軸受７およびドライブ軸受１２の耐久性および寿命の向上、並びに騒音の低減を図ることができる。
【００４３】
また、円筒状スリーブ２７，２８が、軸受ボス部３Ｃ，１５Ｃの穴側に予め圧入または鋳包みされているため、シェル形ニードルベアリング７，１２として汎用のシェル形ニードルベアリングを用い、それをそのまま軸受ボス部３Ｃ，１５Ｃの穴側に予め圧入または鋳包みされている円筒状スリーブ２７，２８に圧入して組み付け構成することができる。従って、ハウジング２や旋回スクロール１５等の小型軽量・薄肉化に伴って、その軸受ボス部３Ｃ，１５Ｃの穴側の剛性および精度が十分に確保されていなくても、軸受自体の構成や組み立てを変えることなく、円筒状スリーブ２７，２８の追加のみで、簡易にかつそれ程コストを増大せずに、シェル形ニードルベアリング７，１２を所期の性能通り正常に機能させることができる。
【００４４】
さらに、上記円筒状スリーブ２７，２８の真円度を、５μｍ以上、１０μｍ以下に設定している。このため、一般に車載用スクロール圧縮機１で求められているシェル形ニードルベアリング７，１２の軌道面（針状ころの内接円）の精度を十分に確保し、その軌道面とクランク軸６およびクランクピン６Ｃの外径との隙間を所要の軸受寿命を確保できる隙間に維持することができる。従って、軸受寿命を左右する上記の隙間管理を容易化し、軸受寿命、耐久性の最大化および騒音の最小化を図ることができる。
【００４５】
なお、本発明は、上記実施形態にかかる発明に限定されるものではなく、その要旨を逸脱しない範囲において、適宜変形が可能である。例えば、上記実施形態では、メイン軸受７およびドライブ軸受１２の双方にシェル形ニードルベアリングを用い、各々の軸受ボス部３Ｃ，１５Ｃに円筒状スリーブ２７，２８を設けてシェル形ニードルベアリングを設置した例について説明したが、いずれか一方に円筒状スリーブを介装してシェル形ニードルベアリングを設置した構成としてもよいことはもちろんである。
【００４６】
また、上記実施形態では、円筒状スリーブ２７，２８を予め軸受ボス部３Ｃ，１５Ｃの穴側に圧入または鋳包みした例について説明したが、これに限らず、シェル形ニードルベアリング７，１２の外輪に円筒状スリーブ２７，２８を圧入したものを用いてもよく、かかる形態のものも本発明に包含されることは云うまでもない。
さらに、本発明の軸受構造は、スクロール圧縮機１に限らず、様々な製品の軸受構造に適用できることはもちろんである。
【符号の説明】
【００４７】
１  スクロール圧縮機
２  ハウジング
３  フロントハウジング
３Ｃ  軸受ボス部
６  クランク軸（軸）
６Ｃ  クランクピン（軸）
７  メイン軸受（シェル形ニードルベアリング）
１２  ドライブ軸受（シェル形ニードルベアリング）
１５  旋回スクロール
１５Ｃ  軸受ボス部
２７，２８  円筒状スリーブ
【図１】
2014047673.tif 000003
【図２】
2014047673.tif 000004